(57)【要約】    【課題】      受信状態の影響を受けずに、正確にブランチ間遅延差を検出すること。    【解決手段】  遅延プロファイル作成部１１１は、所定のチャンネルのブランチ毎の遅延プロファイルを作成する。ＳＩＲ測定部１１２は、受信品質を示すＳＩＲを測定する。遅延差検出部１１３は、遅延プロファイルの最大ピーク同士の遅延差を測定周期毎に任意数求め、求めた各遅延差を平均化することで、ブランチ間遅延差を求める。遅延部１１４は、ブランチ１受信信号の遅延プロファイルの位相ずれを補正するために、ブランチ１受信信号の遅延プロファイルを遅延させる。遅延プロファイル合成部１１５は、同位相となったブランチ１受信信号の遅延プロファイルとブランチ２受信信号の遅延プロファイルとをブランチ間にて合成する。  【選択図】      図１
2006157803.tif 000002
【特許請求の範囲】
【請求項１】
複数のチャネルの受信信号の遅延プロファイルをブランチ毎に生成する遅延プロファイル生成手段と、
前記遅延プロファイルの前記ブランチ間の遅延差を前記チャネル毎に検出する遅延差検出手段と、
受信品質を前記チャネル毎に測定する受信品質測定手段と、
前記チャネル毎の前記受信品質に基づいて前記遅延差に対して前記チャネル毎に重み付けするとともに、重み付けした前記遅延差を前記チャネル毎に平均して平均遅延差を求める遅延差重み付け平均手段と、
前記遅延差重み付け平均手段にて求められた前記平均遅延差による位相のずれを補正するために位相の進んだ前記遅延プロファイルを遅延させる遅延手段と、
前記遅延手段にて前記遅延プロファイルを遅延させることで同相になった前記遅延プロファイルを前記チャネル毎に前記ブランチ間にて合成する合成手段と、
を具備することを特徴とする無線受信装置。
【請求項２】
請求項１記載の無線受信装置を具備することを特徴とする基地局装置。
【請求項３】
請求項１記載の無線受信装置を具備することを特徴とする通信端末装置。
【請求項４】
複数のチャネルの受信信号の遅延プロファイルをブランチ毎に生成するステップと、
前記遅延プロファイルの前記ブランチ間の遅延差を前記チャネル毎に検出するステップと、
受信品質を前記チャネル毎に測定するステップと、
前記チャネル毎の前記受信品質に基づいて前記遅延差に対して前記チャネル毎に重み付けするとともに、重み付けした前記遅延差を前記チャネル毎に平均して平均遅延差を求めるステップと、
を具備することを特徴とするブランチ間遅延差検出方法。
【発明の詳細な説明】
【技術分野】
【０００１】
本発明は、無線受信装置、基地局装置、通信端末装置及びブランチ間遅延差検出方法に関し、特にディジタル移動通信システムの基地局受信装置において、ブランチ間で遅延プロファイルを合成する際に必要なブランチ間遅延差を検出する無線受信装置、基地局装置、通信端末装置及びブランチ間遅延差検出方法に関する。
【背景技術】
【０００２】
複数アンテナを用いる無線受信装置のパスサーチにおいて、ブランチ間で遅延プロファイルを合成することが有効であることが知られており、合成の際にはブランチ間の遅延差を考慮する必要がある（例えば、特許文献１）。
【０００３】
図２は、従来の無線受信装置の構成を示すブロック図である。図２において、遅延プロファイル作成部２０１は、ブランチ１受信信号及びブランチ２受信信号と既知信号との相関を取ることによって、ブランチ毎の遅延プロファイルを作成する。遅延差検出部２０３は、遅延プロファイル作成部２０１で作成したそれぞれの遅延プロファイルの最大ピーク同士の遅延差を測定周期毎に任意数求め、この求められた各遅延差を平均化することで遅延差を求める。遅延部２０４は、遅延差検出部２０３で検出した遅延差に応じて二つの遅延プロファイルが同位相となるように、第１遅延プロファイルを遅延させ、遅延プロファイル合成部２０５へ出力する。遅延プロファイル合成部２０５は、同位相となった二つの遅延プロファイルを合成し、この合成遅延プロファイルを図示しないパスサーチ部へ出力する。
【特許文献１】特開２００２−１１１５６２号公報
【発明の開示】
【発明が解決しようとする課題】
【０００４】
しかしながら、従来の装置においては、フェージング歪や熱雑音によりＳＮＲ(Signal to Noise Ratio)が悪い状態にある場合、ピーク値がゆらいでしまい、ブランチ間の遅延差を正確に検出できないことがあるという問題がある。
【０００５】
本発明は、かかる点に鑑みてなされたものであり、受信状態の影響を受けずに、正確にブランチ間遅延差を検出することのできる無線受信装置、基地局装置、通信端末装置及びブランチ間遅延差検出方法を提供することを目的とする。
【課題を解決するための手段】
【０００６】
本発明の無線受信装置は、複数のチャネルの受信信号の遅延プロファイルをブランチ毎に生成する遅延プロファイル生成手段と、前記遅延プロファイルの前記ブランチ間の遅延差を前記チャネル毎に検出する遅延差検出手段と、受信品質を前記チャネル毎に測定する受信品質測定手段と、前記チャネル毎の前記受信品質に基づいて前記遅延差に対して前記チャネル毎に重み付けするとともに、重み付けした前記遅延差を前記チャネル毎に平均して平均遅延差を求める遅延差重み付け平均手段と、前記遅延差重み付け平均手段にて求められた前記平均遅延差による位相のずれを補正するために位相の進んだ前記遅延プロファイルを遅延させる遅延手段と、前記遅延手段にて前記遅延プロファイルを遅延させることで同相になった前記遅延プロファイルを前記チャネル毎に前記ブランチ間にて合成する合成手段と、を具備する構成を採る。
【０００７】
本発明のブランチ間遅延差検出方法は、複数のチャネルの受信信号の遅延プロファイルをブランチ毎に生成するステップと、前記遅延プロファイルの前記ブランチ間の遅延差を前記チャネル毎に検出するステップと、受信品質を前記チャネル毎に測定するステップと、前記チャネル毎の前記受信品質に基づいて前記遅延差に対して前記チャネル毎に重み付けするとともに、重み付けした前記遅延差を前記チャネル毎に平均して平均遅延差を求めるステップと、を具備するようにした。
【発明の効果】
【０００８】
本発明によれば、受信状態の影響を受けずに、正確にブランチ間遅延差を検出することができる。
【発明を実施するための最良の形態】
【０００９】
以下に、本発明の実施の形態について、図面を参照して詳細に説明する。
【００１０】
図１は、本発明の実施の形態に係る無線受信装置の構成を示すブロック図である。本発明の無線受信装置は、チャネル１受信処理部１１０、チャネル２受信処理部１２０及び遅延差重み付け平均部１３０で構成されている。
【００１１】
チャネル１受信処理部１１０は、所定のチャンネルのブランチ毎の遅延プロファイルを作成する遅延プロファイル作成部１１１と、遅延プロファイル作成部１１１より受信品質を示すＳＩＲ（信号電力対干渉及び雑音電力比）を測定するＳＩＲ測定部１１２（受信品質測定手段）と、遅延プロファイル作成部１１１で作成したそれぞれの遅延プロファイルの最大ピーク同士の遅延差を測定周期毎に任意数求め、この求められた各遅延差を平均化することで、ブランチ間遅延差を求める遅延差検出部１１３と、ブランチ１受信信号の遅延プロファイルの位相ずれを補正するために、ブランチ１受信信号の遅延プロファイルを遅延させる遅延部１１４と、遅延プロファイルを遅延させることで、同位相となったブランチ１受信信号の遅延プロファイルとブランチ２受信信号の遅延プロファイルとをブランチ間にて合成する遅延プロファイル合成部１１５とを具備する構成である。
【００１２】
また、チャネル２受信処理部１２０は、チャネル１受信処理部１１０と同じ構成であり
、遅延プロファイル作成部１２１と、ＳＩＲ測定部１２２と、遅延差検出部１２３と、遅延部１２４と、遅延プロファイル合成部１２５とで構成されている。
【００１３】
更に、各チャンネル受信処理部１１０、１２０の遅延差検出部１１３、１２３で検出した遅延差に各チャネルの受信ＳＩＲの重み付けを行った上で平均化を行い、これをブランチ間遅延差（平均遅延差）とすると共に、この値で、各チャンネル受信処理部１１０、１２０の遅延部１１４、１２４の遅延量を制御する遅延差重み付け平均部１３０が設けられている。
【００１４】
なお、合成遅延プロファイルを用いてパスサーチを行うパスサーチ部、パスサーチ結果を用いて受信信号を逆拡散、復調処理を行う復調処理部は、公知の技術を用いるので、説明を省略する。
【００１５】
以上のように構成した無線受信装置のブランチ間遅延差検出方法について説明する。
【００１６】
まず、チャネル１受信処理部１１０では、ブランチ１受信信号とブランチ２受信信号との各々について既知信号との相関を取り、第１遅延プロファイルおよび第２遅延プロファイルを作成する。
【００１７】
ＳＩＲ測定部１１２は、遅延プロファイルを用いてＳＩＲを測定するもので、既知の方法で算出できるが、例えば、遅延プロファイルのピーク値をＳ、ピークを除く遅延プロファイル値の平均をＩとしてＳＩＲを算出することができる。
【００１８】
遅延差検出部１１３は、遅延プロファイルを用いてブランチ間の遅延差を検出するもので、例えば、各々の遅延プロファイルのピーク値の位相の差を遅延差とする等の既知の方法で検出することができる。
【００１９】
遅延部１１４は、後述する遅延差重み付け平均部１３０で求められたブランチ間遅延差で第１遅延プロファイルと第２遅延プロファイルが同位相となるように第１遅延プロファイルを遅延させる。
【００２０】
遅延プロファイル合成部１１５は、同位相となった第１遅延プロファイルと第２遅延プロファイルを合成し、図示しないパスサーチ部において、合成した遅延プロファイルを用いてパスサーチを行う。
【００２１】
勿論、チャネル２受信処理部１２０でも、チャネル１受信処理部１１０と同様な処理を行う。
【００２２】
遅延差重み付け平均部１３０には、各チャンネル受信処理部のＳＩＲ測定部１１２、１２２で測定した受信ＳＩＲと各チャンネル受信処理部の遅延差検出部１１３、１２３からの遅延差データが入力される。
【００２３】
そして、遅延差重み付け平均部１３０では、各チャンネル受信処理部で測定した受信ＳＩＲに基づき、チャンネル１受信処理部１１０の遅延差検出部１１３及びチャネル２受信処理部１２０の遅延差検出部１２３で検出した遅延差に重み付けを行った上で平均化する。具体的には、チャネル１受信処理部１１０及びチャネル２受信処理部１２０で測定したＳＩＲと遅延差を重み付け平均し、ブランチ間遅延差を算出する。
【００２４】
例えば、ＳＩＲが所定の値よりも大きい場合には、重み係数を「１．０」とし、ＳＩＲが所定の値よりも小さい場合には、重み係数を「０．５」にする。そして、（１）式よりブランチ間遅延差を求める。
【数１】
2006157803.tif 000003
【００２５】
そして、（１）式で得られたブランチ間遅延差で、チャネル１受信処理部１１０の遅延部１１４及びチャンネル２受信処理部１２０の遅延部１２４の遅延量を制御する。
【００２６】
上記した例では、重み係数を２段階の値としたが、勿論、より細かく設定することもできる。又、重み係数を１段階とし、重み付けを行わないように構成してもよい。
【００２７】
このように、本実施の形態によれば、受信状態の悪い（ＳＩＲが悪い）チャネルがあった場合でも、受信状態の良い（ＳＩＲが良い）チャネルで検出した遅延差により大きな重みをかけることで、受信状態の悪いチャネルにおいてもより正確なブランチ間遅延差を得ることができる。
【産業上の利用可能性】
【００２８】
本発明は、特に、ディジタル移動通信システムの基地局の無線受信装置や移動端末に用いるのに好適である。
【図面の簡単な説明】
【００２９】
【図１】本発明の実施の形態に係る無線受信装置の構成を示すブロック図
【図２】従来技術の構成を示すブロック図
【符号の説明】
【００３０】
１１１、１２１  遅延プロファイル作成部
１１２、１２２  ＳＩＲ測定部
１１３、１２３  遅延差検出部
１１４、１２４  遅延部
１１５、１２５  遅延プロファイル合成部
１１０  チャネル１受信処理部
１２１  チャネル２受信処理部
１３０  遅延差重み付け平均部
【図１】
2006157803.tif 000004
【図２】
2006157803.tif 000005